(57)【要約】 【課題】カートリッジ式の混合水栓を壁の内部に格納するとともに壁の外部からシングルレバーの動作位置を容易に判断できるシングルレバー混合水栓を提供することを目的とする。【解決手段】壁１３の内部に格納されるカートリッジ式のシングルレバー混合水栓１１で、カートリッジ１２は壁１３の内部１３ａに縦置で、シングルレバー１４を壁１３の貫通孔１５から突出して設ける。シングルレバー１４を左右上下に移動して湯と水の割合を調整する。吐水は配管１７を経由して蛇口１６から洗面化粧台９のボウル１０に吐出される。前記壁１３の貫通孔１５には、貫通孔１５を遮蔽しシングルレバー１４に外嵌する遮蔽板１９が壁１３に対してスライド自在に設けられ、遮蔽板１９はシングルレバー１４の第1の中立位置Ｓ１（湯と水の境界）の左領域Ｍ１か右領域Ｍ２のいずれか１方の領域が暖色で他方の領域が寒色で表示される。【選択図】  図１
2006266044.tif 000002
【特許請求の範囲】
【請求項１】
壁の内部に格納されるカートリッジ式のシングルレバー混合水栓であって、
前記シングルレバー混合水栓のカートリッジが前記壁の内部に縦置され、前記シングルレバー混合水栓のシングルレバーが前記カートリッジと略直角方向に前記壁の貫通孔から突出して設けられることを特徴とするシングルレバー混合水栓。
【請求項２】
請求項１に記載のシングルレバー混合水栓であって、前記壁の貫通孔には、この貫通孔を遮蔽し前記シングルレバーに外嵌する遮蔽板が前記壁に対してスライド自在に設けられることを特徴とするシングルレバー混合水栓。
【請求項３】
請求項２に記載のシングルレバー混合水栓であって、前記遮蔽板は、前記シングルレバーの第1の中立位置（湯と水の境界位置）の左領域か右領域のいずれか１方の領域が暖色で他方の領域が寒色で表示されることを特徴とするシングルレバー混合水栓。
【請求項４】
請求項２に記載のシングルレバー混合水栓であって、前記遮蔽板は、前記シングルレバーの第２の中立位置（湯と水の境界位置で、且つ止水位置）を中心点とし、この中心点からの上方線、左下方斜線、右下方斜線によって３領域に区分し、上方線と左下方斜線で囲まれる左領域及び上方線と右下方斜線で囲まれる右領域のいずれか一方の領域が暖色で他方の領域が寒色で表示されることを特徴とするシングルレバー混合水栓。
【発明の詳細な説明】
【技術分野】
【０００１】
本発明は、洗面化粧台、調理台、流し台等に設けられるシングルレバー混合水栓に関し、詳しくは、カートリッジ式の混合水栓を壁の内部に格納するとともに壁の外部からシングルレバーの動作位置を容易に判断できる構成を提供する。
【背景技術】
【０００２】
従来、シングルレバー混合水栓の構造については、特許文献１に記載の内容が知られている。
【０００３】
この特許文献１によれば図７に示すように、操作レバー１のレバー上部２とレバー前面部３にそれぞれ湯水表示部４を設ける。湯側表示部５は表示枠５ａの内側を赤色で、水側表示部６は表示枠６ａの内側を青または水色で塗りつぶし、さらに、湯側表示部５には「ゆ」の文字を、水側表示部６には「みず」の文字を表示する。
【０００４】
そして、操作レバー１を湯側表示部５の方向（「ゆ」の文字が表示されている赤色の方向）に回転させる操作を行うと、湯の吐出が可能となり、操作レバー１を水側表示部６の方向（「みず」の文字が表示されている青または水色の方向）に回転させる操作を行うと、水の吐出が可能になる。操作レバーの使用姿勢に関係なく、どのような位置からでも使用者が一目で「湯」と「水」を判別でき、操作レバーの誤操作等を確実に防止できる。
【特許文献１】特開平１１−２４７２４８号公報
【発明の開示】
【発明が解決しようとする課題】
【０００５】
ところが、使用者の前面に壁があってその壁内に混合水栓が格納される場合のシングルレバー混合水栓を商品化するために、図８（ａ）、（ｂ）に示すように、シングルレバー混合水栓１１のカートリッジ１２を壁１３の内部１３ａに横置して、シングルレバー混合水栓１１のシングルレバー１４をカートリッジ１２と略同一方向に壁１３の貫通孔１５から突出して設けることが検討されている。
【０００６】
この場合、シングルレバー１４をその軸周りに左右に回転するだけで湯と水の割合を調整し、上下に移動して水量を加減することができる。調整された吐水は配管１７を経由して蛇口１６から洗面化粧台９のボウル１０に吐出される。
【０００７】
ところが、シングルレバー１４を左右に回転するための必要トルクを指の力によって得るのは簡単ではなく指が疲れるという問題があった。
【０００８】
さらに、図９に示すように、壁１３に「低温」、「高温」等の表示部２２を設けても表示が狭いところに集中するので表示が判りにくいという問題があった。
【０００９】
そのため、例えばシングルレバー１４を左に回転すれば「湯」が出ること、右に回転すれば「水」が出ることを使用者自身が認識していない場合や、使い慣れていない場合には大変な不自由があった。そして、実際に吐出して直接吐水に触れることにより「湯」であるか「水」であるかを確認しなければならなかった。
【００１０】
また、シングルレバー１４を上下に操作して水量を加減する際に、シングルレバー１４の操作位置がどの位置であるのかが判らないので、実際にシングルレバー１４を上下に移動して吐水を目視や接触によって判断する必要があった。
【００１１】
そこで、本発明は上記問題を解決して、カートリッジ式の混合水栓を壁の内部に格納するとともに壁の外部からシングルレバーの動作位置を容易に判断できるシングルレバー混合水栓を提供することを目的とする。
【課題を解決するための手段】
【００１２】
請求項１の発明は、壁の内部に格納されるカートリッジ式のシングルレバー混合水栓であって、前記シングルレバー混合水栓のカートリッジが前記壁の内部に縦置され、前記シングルレバー混合水栓のシングルレバーが前記カートリッジと略直角方向に前記壁の貫通孔から突出して設けられることを特徴としている。
【００１３】
このシングルレバー混合水栓であれば、壁の内部に格納されるカートリッジが縦置なので壁の外部からングルレバーを左右に回転（スイング）して温度調節ができる。
【００１４】
請求項２の発明は、請求項１に記載のシングルレバー混合水栓であって、前記壁の貫通孔には、この貫通孔を遮蔽し前記シングルレバーに外嵌する遮蔽板が前記壁に対してスライド自在に設けられることを特徴としている。
【００１５】
このシングルレバー混合水栓であれば、遮蔽板が前記シングルレバーに外嵌するのでシングルレバーの動作に連動して遮蔽板も同様に移動できる。
【００１６】
請求項３の発明は、請求項２に記載のシングルレバー混合水栓であって、前記遮蔽板は、前記シングルレバーの第1の中立位置（湯と水の境界位置）の左領域か右領域のいずれか１方の領域が暖色で他方の領域が寒色で表示されることを特徴としている。
【００１７】
このシングルレバー混合水栓であれば、前記シングルレバーの第1の中立位置の左領域と右領域が暖色と寒色で表示されるので容易に温水域と常温水域が判断できる。
【００１８】
請求項４の発明は、請求項２に記載のシングルレバー混合水栓であって、前記遮蔽板は、前記シングルレバーの第２の中立位置（湯と水の境界位置で、且つ止水位置）を中心点とし、この中心点から上方線、左下方斜線、右下方斜線がそれぞれ描かれるとともに、上方線と左下方斜線で囲まれる左領域及び上方線と右下方斜線で囲まれる右領域のいずれか一方の領域が暖色で他方の領域が寒色で表示されることを特徴としている。
【００１９】
このシングルレバー混合水栓であれば、前記シングルレバーの第２の中立位置の左領域と右領域のいずれか一方の領域が暖色で他方の領域が寒色で表示されるので容易に温水域と常温水域が判断できるとともに、左領域と右領域以外の（下）領域によって、水量位置の判断が容易にできる。
【発明の効果】
【００２０】
請求項１記載の発明によれば、壁の内部に格納されるカートリッジ式のシングルレバー混合水栓であってもシングルレバーを左右に回転（スイング）して温度調節ができるので、指に回転による負担が掛からないので、容易にレバー操作することができる。
【００２１】
請求項２記載の発明によれば、シングルレバーの動作に連動して遮蔽板も同様に移動するので、前記壁の貫通孔から遮蔽板を目視することができる。
【００２２】
請求項３の発明によれば、このシングルレバー混合水栓の構成であれば、前記シングルレバーの第1の中立位置の左領域と右領域が暖色と寒色で表示されるので、容易に温水域と常温水域が判断できるので使用勝手が向上する。
【００２３】
請求項４の発明によれば、前記シングルレバーの第２の中立位置の左領域と右領域が暖色と寒色で表示されるので色により視覚的に温水域と常温水域が容易に判断できるとともに、左領域及び右領域以外の（下）領域によって水量位置も視覚的に容易に判断することができる。
【発明を実施するための最良の形態】
【００２４】
＜本発明の第１の実施形態＞
以下に、本発明の第１の実施形態を図１〜図５に基づいて説明する。なお、図８（ａ）、（ｂ）に示した構成と同等部分には適宜に同一符号を付して説明する。
【００２５】
＜シングルレバー混合水栓の構成＞  
図１（ａ）、（ｂ）に示すように、本発明のシングルレバー混合水栓１１は、例えば洗面化粧台９のボウル１０に湯、水を注いで手を洗うために、壁１３の内部に格納されるカートリッジ式のシングルレバー混合水栓１１である。
【００２６】
前記シングルレバー混合水栓１１の混合水栓としてのカートリッジ１２は前記壁１３の内部１３ａに縦置に設置される。また、前記シングルレバー混合水栓１１のシングルレバー１４が前記カートリッジ１２と略直角方向に前記壁１３の貫通孔１５から突出して設けられる。
【００２７】
そして、シングルレバー１４を左右に回転して湯と水の割合を調整し、上下に移動して水量を加減することができる。調整された吐水は配管１７を経由して蛇口１６から洗面化粧台９のボウル１０に吐出される。
【００２８】
さらに、前記壁１３の貫通孔１５には、この貫通孔１５を遮蔽し前記シングルレバー１４に外嵌する遮蔽板１９が前記壁１３に対してスライド自在に設けられる。
【００２９】
図２（ａ）、（ｂ）に示すように、前記壁１３の内部１３ａには、遮蔽板１９が前記シングルレバー１４に外嵌するとともに、前記壁１３に対してスライド自在となるように前記壁１３の内面１３ｂに固着されるガイド２０によって保持されている。
【００３０】
ガイド２０は枠材２０ａと保持材２０ｂからなるアングル材であり枠材２０ａの一端部が前記壁１３の内面１３ｂに固着するとともに遮蔽板１９を囲うように上下左右に亘って連結形成される。
【００３１】
ここで、枠材２０ａの取付け位置と、内面１３ｂの隙間Ｑと、保持材２０ｂの上下左右のそれぞれの長さＲ１、Ｒ２は、シングルレバー１４に連動する遮蔽板１９を壁１３に対して常時スライド自在に保持できるように考慮して設定される。図において、遮蔽板１９の最大移動領域は横方向の長さＴ１、縦方向の長さＴ２の範囲内である。
【００３２】
図３（ａ）、（ｂ）に示すように、前記遮蔽板１９は横Ｔ３、縦Ｔ４の大きさであり、前記シングルレバー１４の第1の中立位置Ｓ１（湯と水の境界位置）の例えば左領域Ｍ１が暖色（例えば赤色）で右領域Ｍ２が寒色（例えば水色）で表示される。
【００３３】
そして、使用者が実際に壁１３の外側から見ることができるのは、前記壁１３の貫通孔１５を通して見る範囲内の遮蔽板１９である。
【００３４】
遮蔽板１９の材質は樹脂でもステンレス等の錆びない金属でも良いが、スライド時の接触磨耗を回避するために表示部は表面から掘り込んで色表示させるのが好ましい。
【００３５】
＜シングルレバー混合水栓の作用＞
図４（ａ）、図５（ａ）に示すように、シングルレバー１４が貫通孔１５を通して見る遮蔽板１９の左右の中心で上限位置１５ａにあることから、吐水量が全開状態であり、且つ「水」の状態であることがわかる。（一般的に湯と水の境界位置では水と考えてよい。）
ここで、貫通孔１５から遮蔽板１９を真正面に見ると、シングルレバー１４の上限位置としての貫通孔１５における位置と遮蔽板１９上の位置が一致しないが、説明の便宜上、図においては、シングルレバー１４の貫通孔１５における上限位置（近傍）を遮蔽板１９上におけるシングルレバー１４の上限位置１５ａとして表している。
【００３６】
なお、シングルレバー１４自身に無理な力が掛からないように、シングルレバー１４がどの位置であっても貫通孔１５の周囲の壁縁１３ｃに当接しないことが好ましい。シングルレバー１４の左右上下の限界位置においては使用者自身がシングルレバー１４からの触感でも容易に判断することができる。
【００３７】
図４（ｂ）、図５（ｂ）は、シングルレバー１４が図４（ａ）、図５（ａ）の状態から、さらに右限界位置１５ｂに移動した状態を示す。
【００３８】
この位置では、シングルレバー１４が貫通孔１５を通して見る遮蔽板１９の上限位置１５ａにあることから吐水量が全開状態であり、貫通孔１５を通して見る遮蔽板１９の左領域Ｍ１が右領域Ｍ２よりも広いことから「湯」の状態であることがわかる。
【００３９】
このように、カートリッジ式の混合水栓を壁の内部に格納した場合でも、壁の外部から使用者が前記壁１３の貫通孔１５を通して遮蔽板１９の状態を視覚的に判断してシングルレバー１４の動作位置を容易に理解できる。
【００４０】
＜本発明の第２の実施形態＞
以下に、本発明の第２の実施形態を図６に基づいて説明するが、図５（ａ）、（ｂ）と同構成部分については、図面に同符号を付して重複した説明を省略する。
【００４１】
図６（ａ）に示すように、前記遮蔽板１９は、前記シングルレバー１４の第２の中立位置Ｓ２（温水と常温水の境界位置で、且つ止水位置）を中心点とし、この中心点から上方線Ｓ３、左下方斜線Ｓ４、右下方斜線Ｓ５がそれぞれ描かれるとともに、「上方線Ｓ３と左下方斜線Ｓ４で囲まれる左領域Ｍ３」及び「上方線Ｓ３と右下方斜線Ｓ５で囲まれる右領域Ｍ４」の例えば左領域Ｍ３が暖色で右領域Ｍ４が寒色で表示される。
【００４２】
「左下方斜線Ｓ４と右下方斜線Ｓ５で囲まれる下方領域Ｍ５」は左領域Ｍ３と右領域Ｍ４のそれぞれの色と区別できる色として例えば黒色で表示される。
【００４３】
図６（ｂ）に示すように、貫通孔１５を通して見る遮蔽板１９の「左下方斜線Ｓ４と右下方斜線Ｓ５で囲まれる下方領域Ｍ５」の頂点Ｓ６の位置が上限位置１５ａ近傍にあることで吐水量が全開状態であることがわかる。また、貫通孔１５を通して見る遮蔽板１９の「上方線Ｓ３と左下方斜線Ｓ４で囲まれる左領域Ｍ３」と「上方線Ｓ３と右下方斜線Ｓ５で囲まれる右領域Ｍ４」の大きさが同じであることで「水」の状態であることがわかる。
【００４４】
図６（ｃ）は、シングルレバー１４が図６（ｂ）の状態から、さらに右限界位置１５ｂに移動した状態を示す。
【００４５】
この位置では、貫通孔１５を通して見る遮蔽板１９の「左下方斜線Ｓ４と右下方斜線Ｓ５で囲まれる下方領域Ｍ５」の頂点Ｓ６の位置が上限位置１５ａ近傍にあることで吐水量が全開状態であることがわかる。また、頂点Ｓ６の位置が右限界位置１５ｂ近傍にあるので、貫通孔１５を通して見る遮蔽板１９の「上方線Ｓ３と左下方斜線Ｓ４で囲まれる左領域Ｍ３」が「上方線Ｓ３と右下方斜線Ｓ５で囲まれる右領域Ｍ４」よりも広く（大きく）なることから「湯」の状態であることがわかる。
【００４６】
図示しないが、図６（ｂ）、図６（ｃ）で示す状態からシングルレバー１４を下降すると、「左下方斜線Ｓ４と右下方斜線Ｓ５で囲まれる下方領域Ｍ５」の頂点Ｓ６の位置が下降するので、その高さ位置と下方領域Ｍ５の広さの変化を見ることによって吐水量が減少していることを視覚的に判断することができる。
【００４７】
このように、カートリッジ式の混合水栓を壁の内部に格納した場合に、壁の外部から使用者が前記壁１３の貫通孔１５を通して遮蔽板１９の状態を視覚的に判断することでシングルレバー１４の動作位置が容易に理解できる。
【００４８】
以上、本発明の実施形態を図面に基づいて説明したが、上記の実施例はいずれも本発明の一例を示したものであり、本発明はこれらに限定されるべきでないということはいうまでもない。
【００４９】
前記遮蔽板１９はシングルレバー１４に外嵌されるが、スライド自在に外嵌する構成でもよい。この場合、遮蔽板１９を囲う上下左右のガイド２０の保持材２０ｂと前記壁１３の内面１３ｂとの隙間Ｑを狭くできるので、遮蔽板１９を常に内面１３ｂに近接する位置に配置しておけるので使用者に対してさらに見易い遮蔽板にできる。
【００５０】
シングルレバー混合水栓の型式によっては、本実施例とは逆にシングルレバー１４を下げると吐水量が増える場合、また、「湯」と「水」の配置が反対の場合もあるが、それぞれの状況に対応して実施すればよい。
【図面の簡単な説明】
【００５１】
【図１】本発明の第１の実施形態における、（ａ）は洗面化粧台のボウルに「湯」、「水」を注ぐために、壁の内部に格納されるカートリッジ式のシングルレバー混合水栓の斜視図、（ｂ）は図１（ａ）におけるＡ−Ａ断面図である。
【図２】本発明の第１の実施形態における、（ａ）は図１の“Ｂ”詳細図、（ｂ）は図２（ａ）におけるＣ−Ｃ断面図である。
【図３】本発明の第１の実施形態における、（ａ）は図２（ａ）におけるＤ−Ｄ断面図、（ｂ）は図２（ａ）におけるＥ−Ｅ断面図である。
【図４】本発明の第１の実施形態における、（ａ）は図２（ａ）におけるシングルレバー混合水栓のシングルレバーが上限位置に移動した状態を示す断面図、（ｂ）は図４（ａ）におけるでシングルレバーが右限界位置に移動した状態を示すＦ−Ｆ断面図である。
【図５】本発明の第１の実施形態における、（ａ）は図４（ａ）におけるＧ−Ｇ断面図、（ｂ）は図４（ｂ）におけるＨ−Ｈ断面図である。
【図６】本発明の第２の実施形態における、（ａ）はシングルレバーが第２の中立位置（湯と水の境界位置で、且つ止水位置）における遮蔽板の色表示区分を示す図、（ｂ）はシングルレバーが上限位置に移動した状態における貫通孔を通して見る遮蔽板の状態を示す図、（ｃ）はシングルレバーがさらに右限界位置に移動した状態における貫通孔を通して見る遮蔽板の状態を示す図である。
【図７】従来例における、シングルレバーの「湯」、「水」の表示状態を示す斜視図である。
【図８】従来例における、（ａ）は洗面化粧台のボウルに「湯」、「水」を注ぐために、壁の内部に格納されるカートリッジ式のシングルレバー混合水栓の斜視図、（ｂ）は図８（ａ）におけるＪ−Ｊ断面図である。
【図９】従来例における、図８（ｂ）のＫ−Ｋ矢視図である。
【符号の説明】
【００５２】
９  洗面化粧台
１０  ボウル
１１  シングルレバー混合水栓
１２  カートリッジ
１３  壁
１３ａ  内部
１３ｃ  壁縁
１４  シングルレバー
１５  貫通孔
１７  配管
１６  蛇口
１９  遮蔽板
Ｓ１  第1の中立位置
Ｍ１  左領域
Ｍ２  右領域
【図１】
2006266044.tif 000003
【図２】
2006266044.tif 000004
【図３】
2006266044.tif 000005
【図４】
2006266044.tif 000006
【図５】
2006266044.tif 000007
【図６】
2006266044.tif 000008
【図７】
2006266044.tif 000009
【図８】
2006266044.tif 000010
【図９】
2006266044.tif 000011